(57)【特許請求の範囲】
【請求項１】
第１端子から第２端子方向に流れる順方向電流により発光する複数の発光素子と、
直流電源と、
前記直流電源から前記複数の発光素子に電力を供給する陽極配線及び陰極配線と、
前記発光素子の輝度又は前記発光素子の両端の電圧を検出する検出部と、備え、
前記複数の発光素子は、前記陽極配線から分岐した第１陽極配線に前記第１端子を接続した発光素子を複数備えた第１発光素子群と、前記陽極配線から分岐した第２陽極配線に前記第１端子を接続した発光素子を複数備えた第２発光素子群と、を有し、
前記第１発光素子群、及び第２発光素子群における複数の前記発光素子の前記第２端子に共通に接続される、前記陰極配線から分岐した共通陰極配線とからなる発光ユニットを複数有し、
前記スイッチは、前記検出部によって検出された輝度又は電圧に応じて、前記陽極配線と前記陽極配線から分岐した前記第１陽極配線又は前記第２陽極配線とを電気的に接続することを特徴とする照明装置。
【請求項２】
請求項１に記載の照明装置であって、
前記陽極配線と、前記第１陽極配線又は前記第２陽極配線との間の接続を排他的に切り替えるスイッチをさらに備えることを特徴とする照明装置。
【請求項３】
請求項１又は請求項２に記載の照明装置であって、
前記検出部は、光センサーであることを特徴とする照明装置。
【請求項４】
請求項１乃至請求項３のいずれか一項に記載の照明装置であって、
前記複数の発光素子が配置された発光領域を有し、
前記発光領域の周囲に検出用発光素子が更に設けられ、
前記検出部は、前記検出用発光素子が放つ光の輝度を検出することを特徴とする照明装置。
【請求項５】
透明基板と、
前記透明基板上に形成された複数本の透明な陽極配線及び陰極配線と、
順方向電流により発光する複数の発光素子と、
前記発光素子の輝度又は前記発光素子の両端の電圧を検出する検出部と、を備え、
前記陽極配線から分岐した第１陽極配線と第２陽極配線とが、前記陰極配線から分岐した共通陰極配線の両隣りに形成され、
前記複数の発光素子は、前記第１陽極配線から前記共通陰極配線の方向に流れる順方向電流により発光する複数の前記発光素子からなる第１発光素子群と、前記第２陽極配線から前記共通陰極配線の方向に流れる順方向電流により発光する複数の前記発光素子からなる第２発光素子群と、を有し、
前記スイッチは、前記検出部によって検出された輝度又は電圧に応じて、前記陽極配線と前記陽極配線から分岐した前記第１陽極配線又は前記第２陽極配線とを電気的に接続することを特徴とする照明装置。
【請求項６】
請求項１乃至請求項５のいずれか一項に記載の照明装置は、
液晶パネルの表示面上に配置されるフロントライトであることを特徴とする照明装置。
【請求項７】
請求項１乃至請求項６のいずれか一項に記載の照明装置を備えることを特徴とする電子機器。
【発明の詳細な説明】
【技術分野】
【０００１】
本発明は、照明装置及び電子機器に関する。
【背景技術】
【０００２】
液晶パネルの表示面上に配置して表示面を照明する照明装置であるフロントライトが知られている。一般的に、フロントライトは、反射型の表示パネルに用いられており、外光が十分にある場合には消灯して透明板となり、透明板状態のフロントライトを透過して、外光による反射表示を行うものが多い。このため、透過型の表示パネルに多用されており、外光の有無に拘わらず点灯しているバックライトよりも、消費電力を低減することができると言われている。
【０００３】
例えば、特許文献１には、反射型液晶表示装置の上方に、ＩＴＯ（Indium Thin Oxide：インジウム錫酸化物）等の透明導電材料からなる陽極と、陽極上に設けられた有機ＥＬ層と、有機ＥＬ層上に設けられたアルミニウム等の金属からなる陰極（反射膜）とを有する有機ＥＬ素子を光源として備えたフロントライトが示されている。
【０００４】
また、図１６は、従来のフロントライトの電気的な構成を示す等価回路図である。フロントライト５０１は、直流電源５０２の陽極と接続された陽極配線５０３と、陰極と接続された陰極配線５０４とを有する。陽極配線５０３と陰極配線５０４とは、複数に分岐されており、それぞれの陽極配線５０３ａと陰極配線５０４ａとの間に、並列に接続されると共に順方向電流により発光する複数の発光素子５０５が設けられている。
【先行技術文献】
【特許文献】
【０００５】
【特許文献１】特開２００７−１７７２０号公報
【発明の概要】
【発明が解決しようとする課題】
【０００６】
しかしながら、従来のフロントライトでは、有機ＥＬ素子を光源としているため、十分な寿命を確保することが困難であるという課題があった。詳しくは、有機ＥＬ材料は、未だ開発途上の材料であり、輝度寿命が短いという問題があった。
【０００７】
また、点灯時および消灯時のいずれにおいても、フロントライト自体を透過して表示面を観察する構成であるため、反射膜（陰極）を有し、遮光部となる有機ＥＬ素子のサイズは、表示に影響を及ぼさないように（発光面積が）小さく形成されていた。このため、所期の輝度を得るためには、大電流を流さなければならず、これにより、有機ＥＬ素子の温度が上昇してしまい、有機ＥＬ素子が劣化してしまうという問題があった。つまり、発光素子の劣化を抑制することが困難であるという課題があった。
【課題を解決するための手段】
【０００８】
本発明は、上記課題の少なくとも一部を解決するためになされたものであり、以下の形態又は適用例として実現することが可能である。
【０００９】
［適用例１］本適用例に係る照明装置は、第１端子から第２端子方向に流れる順方向電流により発光する複数の発光素子と、直流電源と、前記直流電源から前記複数の発光素子に電力を供給する陽極配線及び陰極配線と、を少なくとも備え、前記陽極配線から分岐した第１陽極配線に前記第１端子を接続した複数の前記発光素子からなる第１発光素子群と、前記陽極配線から分岐した第２陽極配線に前記第１端子を接続した複数の前記発光素子からなる第２発光素子群と、前記第１発光素子群、及び第２発光素子群における複数の前記発光素子の前記第２端子に共通に接続される、前記陰極配線から分岐した共通陰極配線とからなる発光ユニットを複数有することを特徴とする。
【００１０】
この構成によれば、第１発光素子群と第２発光素子群とが共通陰極配線に接続されているので、共通の陰極の領域をつくることができる。よって、それぞれの発光素子群が陰極及び陰極共通配線を有する構成と比較して、陰極の面積を小さくすることが可能となり、陰極の領域以外の光が通過する領域の面積を大きくすることができる。これにより、開口率を向上させることが可能となり、必要な光量にするための電流の量を少なくすることができる。その結果、発光素子が発熱することを抑え、発光素子が劣化することを抑えることができ、寿命を延ばすことができる。
【００１１】
［適用例２］上記適用例に係る照明装置において、前記陽極配線と、前記第１陽極配線又は前記第２陽極配線との間の接続を排他的に切り替えるスイッチをさらに備えることが好ましい。
【００１２】
この構成によれば、スイッチを用いることにより、第１陽極配線と接続された第１発光素子群と、第２陽極配線と接続された第２発光素子群とを、交互に発光させることが可能となるので、例えば、一方の発光素子群の輝度が下限の閾値の輝度に低下するまで連続して発光させ、その後、他方の発光素子群に切り替えて連続して発光させることにより、１つのみの発光素子群を連続して発光させる場合と比較して、発光時間を延ばすことができる。その結果、照明装置の寿命を延ばすことができる。加えて、どちらか一方の発光素子群に不具合が生じた場合、他方の発光素子群を用いて発光させることができる。
【００１３】
［適用例３］上記適用例に係る照明装置において、前記発光素子の輝度又は前記発光素子の両端の電圧を検出する検出部を備えることが好ましい。
【００１４】
この構成によれば、検出部によって発光素子の輝度又は電圧を検出するので、例えば、下限の閾値となる輝度まで発光させることができる（下限の閾値となる輝度より低下させることを防ぐことができる）。また、スイッチと併用することにより、下限の閾値となる輝度まで低下したら一方の発光素子による発光と、他方の発光素子による発光とを切り替えて使うことが可能となり、下限の閾値となる輝度より高い輝度を長時間維持することができる。
【００１５】
［適用例４］上記適用例に係る照明装置において、前記スイッチは、前記検出部によって検出された輝度又は電圧に応じて、前記陽極配線と前記陽極配線から分岐した前記第１陽極配線又は前記第２陽極配線とを電気的に接続することが好ましい。
【００１６】
この構成によれば、輝度又は電圧に応じて第１陽極配線又は第２陽極配線に電力を印加するので、例えば、下限の閾値となる輝度まで一方の発光素子を発光させ、その後、他方の発光素子に自動で切り替えて発光させることができる。また、例えば、ある輝度に達したら、どちらかの発光素子の発光に切り替え、更にある輝度まで達したら、どちらかの発光素子の発光に切り替えるような、段階的に輝度を低下させていくこともできる。
【００１７】
［適用例５］上記適用例に係る照明装置において、前記検出部は、光センサーであることを特徴とする。
【００１８】
この構成によれば、光センサーで輝度を検出するので、ある輝度まで低下したら一方の発光素子から他方の発光素子に切り替えることにより、所定以上の輝度を維持することができる。
【００１９】
［適用例６］上記適用例に係る照明装置において、前記複数の発光素子が配置された発光領域を有し、前記発光領域の周囲に検出用発光素子が更に設けられ、前記検出部は、前記検出用発光素子が放つ光の輝度を検出することが好ましい。
【００２０】
この構成によれば、検出用発光素子が発光領域の周囲に設けられているので、発光領域において必要な輝度を低下させることなく、発光素子の輝度を検出することができる。
【００２１】
［適用例７］本適用例に係る照明装置は、透明基板と、前記透明基板上に形成された複数本の透明な陽極配線及び陰極配線と、順方向電流により発光する複数の発光素子と、を備え、前記陽極配線から分岐した第１陽極配線と第２陽極配線とが、前記陰極配線から分岐した共通陰極配線の両隣りに形成され、前記第１陽極配線から前記共通陰極配線の方向に流れる順方向電流により発光する複数の前記発光素子からなる第１発光素子群と、前記第２陽極配線から前記共通陰極配線の方向に流れる順方向電流により発光する複数の前記発光素子からなる第２発光素子群と、を有することを特徴とする。
【００２２】
この構成によれば、共通陰極配線を用いて、第１発光素子群と第２発光素子群とを透明基板上に設けるので、平面的に共通の陰極領域をつくることができる。よって、それぞれの発光素子群が別々の陰極配線を用いる構成と比較して、陰極の面積を小さくすることが可能となり、陰極の領域以外の光が通過する領域の面積を大きくすることができる。これにより、開口率を向上させることが可能となり、必要な光量にするための電流の量を少なくすることができる。その結果、発光素子が発熱することを抑え、発光素子が劣化することを抑えることができ、寿命を延ばすことができる。
【００２３】
［適用例８］上記適用例に係る照明装置において、液晶パネルの表示面上に配置されるフロントライトであることを特徴とする。
【００２４】
この構成によれば、フロントライトとして液晶パネルの表示面上に配置されるので、反射型の液晶パネルにおいて、外光が十分に得られない場合でも、フロントライトから光を供給することが可能となり、表示品質を向上させることができる。
【００２５】
［適用例９］本適用例に係る電子機器は、上記した照明装置を備えることを特徴とする。
【００２６】
この構成によれば、発光素子が劣化することが抑えられ、高寿命の電子機器を提供することができる。
【図面の簡単な説明】
【００２７】
【図１】第１実施形態の照明装置としての有機ＥＬ装置、及び有機ＥＬ装置をフロントライトとして用いた反射型液晶装置の構造を示す模式断面図。
【図２】図１に示す有機ＥＬ装置のＡ部を拡大して示す拡大断面図。
【図３】照明装置としての有機ＥＬ装置の電気的な構成を示す等価回路図。
【図４】有機ＥＬ装置の構造を示す模式平面図。
【図５】図４に示す有機ＥＬ装置のＢ部を拡大して示す模式拡大図。
【図６】図５に示す有機ＥＬ装置のＣ−Ｃ'線に沿う模式断面図。
【図７】有機ＥＬ装置の製造方法を工程順に示す模式断面図。
【図８】有機ＥＬ装置の製造方法を工程順に示す模式断面図。
【図９】有機ＥＬ装置の製造方法を工程順に示す模式断面図。
【図１０】有機ＥＬ装置の製造方法を工程順に示す模式断面図。
【図１１】第２実施形態の照明装置としての有機ＥＬ装置の電気的な構成を示す等価回路図。
【図１２】第３実施形態の照明装置としての有機ＥＬ装置の電気的な構成を示す等価回路図。
【図１３】有機ＥＬ装置を備えた電子機器の一例として携帯電話機を示す模式図。
【図１４】変形例１の有機ＥＬ装置の構成を電気的に示す等価回路図。
【図１５】時間と輝度との関係、及び、時間と電圧との関係を示すグラフ。
【図１６】従来のフロントライトの電気的な構成を示す等価回路図。
【発明を実施するための形態】
【００２８】
以下、本発明を具体化した実施形態について図面に従って説明する。なお、使用する図面は、説明する部分が認識可能な状態となるように、適宜拡大または縮小して表示している。
【００２９】
（第１実施形態）
＜照明装置を有する反射型液晶装置の構成＞
図１は、照明装置としての有機ＥＬ装置、及び有機ＥＬ装置をフロントライトとして用いた反射型液晶装置の構造を示す模式断面図である。図２は、図１に示す有機ＥＬ装置のＡ部を拡大して示す拡大断面図である。以下、反射型液晶装置及び有機ＥＬ装置の構造を、図１及び図２を参照しながら説明する。
【００３０】
反射型液晶装置１０は、反射型の液晶パネル１１と、液晶パネル１１の表示面上に配置される照明装置（フロントライト）としての有機ＥＬ装置１２とを組み合わせた装置である。具体的には、反射型液晶装置１０は、観察者１４側から照射される外光（後述する有機ＥＬ装置１２（フロントライト）内で生じる光）を反射して、観察者１４にカラー画像を表示することができる。
【００３１】
反射型の液晶パネル１１は、素子基板１５と、対向基板１６と、素子基板１５と対向基板１６との間に挟持された液晶層１７とを有する。素子基板１５の液晶層１７側（以下、「上側」あるいは「上層」と称する。）には、ＴＦＴ（Thin Film Transistor）１８と、各々のＴＦＴ１８に対応する画素電極１９が規則的に形成されている。
【００３２】
画素電極１９の上層には、第１配向膜２１が形成されている。液晶層１７は、第１配向膜２１と後述する第２配向膜２２とによって挟持されている。なお、反射型の液晶パネル１１であるので、素子基板１５は、透明性を要しない。よって、プラスチック等の不透明材料からなる基板を用いることもできる。
【００３３】
画素電極１９は、反射性を有しており、液晶層１７側から照射される光を反射光Ｒとして液晶層１７の方向に反射する。なお、かかる反射性は、画素電極１９自体を反射性材料で形成してもよく、また、ＩＴＯ等の透明導電性材料で形成された画素電極１９と、アルミニウム等からなる反射層とを組み合わせてもよい。
【００３４】
ＴＦＴ１８と画素電極１９とは、層間絶縁層２３で隔てられており、コンタクトホールを介して電気的に接続されている。また、ＴＦＴ１８は、周辺回路（図示せず）で制御されており、対応する画素電極１９に任意の電圧を印加することができる。
【００３５】
対向基板１６は、ガラス等の透明性材料からなる基板である。対向基板１６は、シール材（図示せず）を介して、素子基板１５と平行、すなわち全域で等間隔となるように配置されている。対向基板１６の液晶層１７側の面には、カラーフィルター層２４と、対向電極２５と、第２配向膜２２とが、対向基板１６側から順に配置されている。そして、対向基板１６における液晶層１７側と反対側の面には、偏光板２６が配置されている。
【００３６】
カラーフィルター層２４は、平面視で画素電極１９に対応するカラーフィルター２４ａと、隣り合うカラーフィルター２４ａ間に形成された遮光層（ブラックマトリクス）２４ｂとを有する。本実施形態のカラーフィルター層２４は、赤色カラーフィルターと、緑色カラーフィルターと、青色カラーフィルターとを備えている。また、対向電極２５は、ＩＴＯ等の透明導電材料からなる。
【００３７】
このような構成の反射型液晶装置１０は、液晶パネル１１の表示面上に有機ＥＬ装置１２（フロントライト）が配置されているので、液晶パネル１１に充分な光を照射することができる。なお、フロントライトは、表示に影響を及ぼさないように発光素子の面積が小さく形成されている（発光素子が反射膜を有するため）。このため、所定の輝度を得るためには大電流を流す必要がある。以下、このような照明装置（フロントライト：有機ＥＬ装置１２）の構造を簡単に説明する。
【００３８】
照明装置としての有機ＥＬ装置１２は、図１及び図２に示すように、複数の発光素子３１が透明基板３２の面上に配列された構成となっている。詳述すると、有機ＥＬ装置１２は、透明基板３２と、透明基板３２の上層(観察者１４側）に設けられた発光素子３１と、発光素子３１の上方に設けられた封止構造３３とを備えている。
【００３９】
詳述すると、図２に示すように、発光素子３１は、陽極３５と、陽極３５上に設けられた発光機能層３６と、発光機能層３６上に設けられた陰極３７とを有する。なお、陰極３７としては、アルミニウム（Ａｌ）等の反射導電性を有する材料が用いられる。具体的には、陰極３７の反射性により、発光機能層３６内で生じるＥＬ光Ｌが液晶パネル１１の方向に照射される。そして、このＥＬ光Ｌが個々の画素電極１９で反射されることにより、観察者１４に対する画像が形成される。なお、図２に示す領域が発光領域であり、その周囲に反射光Ｒを透過する透過領域が設けられている。
【００４０】
発光機能層３６は、陽極３５側から順に、正孔注入層４１と、正孔輸送層４２と、発光層４３と、電子輸送層４４と、電子注入層４５とを有して積層されている。
【００４１】
正孔注入層４１は、陽極３５からの正孔注入効率を向上させる機能を有するものである。正孔輸送層４２は、陽極３５から正孔注入層４１を介して注入された正孔を発光層４３まで輸送する機能を有するものである。
【００４２】
発光層４３は、エレクトロルミネッセンス現象を発現する有機発光物質の層である。陽極３５と陰極３７との間に電圧を印加することによって、発光層４３には、正孔輸送層４２から正孔が、また、電子輸送層４４から電子が注入され、発光層４３においてこれらが再結合したときに発光が行われる。本実施形態では、白色光を発光する。
【００４３】
電子輸送層４４は、陰極３７から電子注入層４５を介して注入された電子を発光層４３に輸送する機能を有するものである。電子注入層４５は、陰極３７からの電子注入効率を向上させる機能を有するものである。
【００４４】
また、発光機能層３６と封止構造３３との間には、陰極３７と、透明層４６と、半透過反射層４７とからなる光干渉層４８が設けられている。透明層４６は、例えば、フッ化リチウム（ＬｉＦ）等からなる。半透過反射層４７は、例えば、アルミニウム（Ａｌ）等からなる。この光干渉層４８により、例えば、外光が反射した反射光を低減している。
【００４５】
上記した陰極３７の反射性は、周辺光、すなわちＥＬ光Ｌ以外の観察者１４側から照射される光に対しても発揮される。周辺光がある場合、陰極３７による反射光（画素電極１９による反射光Ｒ以外の反射光）が、画像を形成する光とは別の光として観察者１４側に照射される。本実施形態では、発光素子３１の観察者１４側に光干渉層４８が設けられているので、外部からの反射光（反射光Ｒ以外の反射光）が低減される。
【００４６】
封止構造３３は、外部からの水分等の浸入を抑制して、発光素子３１を保護するために設けられたものである。封止構造３３の材料としては、シリコン酸窒化膜（ＳｉＯＮ）、シリコン窒化膜（ＳｉＮ）等の耐水性を有するものが挙げられる。また、封止構造３３として、樹脂材料を用いてもよく、更には、最外面にガラス基板等が接着されていてもよい。
【００４７】
＜照明装置の構成＞
図３は、照明装置としての有機ＥＬ装置の電気的な構成を示す等価回路図である。以下、有機ＥＬ装置の構成を、図３を参照しながら説明する。
【００４８】
図３に示すように、有機ＥＬ装置１２は、直流電力を供給する直流電源５０を電源とする。また、有機ＥＬ装置１２は、直流電源５０の陽極と接続された陽極配線５１と、直流電源５０の陰極と接続された陰極配線５２とを有する。陽極配線５１は、第１陽極配線５１ａと第２陽極配線５１ｂとに分岐されている。陰極配線５２は、複数の陰極配線５２（共通陰極配線）に分岐されている。
【００４９】
第１陽極配線５１ａと陰極配線５２との間には、並列に接続されると共に順方向電流により発光する複数の第１発光素子３１ａが設けられている。なお、これらの第１発光素子３１ａを、第１発光素子群３１ａ’と称する。また、第２陽極配線５１ｂと陰極配線５２との間には、並列に接続されると共に順方向電流により発光する複数の第２発光素子３１ｂが設けられている。なお、これらの第２発光素子３１ｂを、第２発光素子群３１ｂ’と称する。更に、第１発光素子群３１ａ’及び第２発光素子群３１ｂ’を発光ユニットと称する。なお、第１発光素子３１ａ及び第２発光素子３１ｂは、等価的にダイオードとみなすことができる。
【００５０】
詳述すると、並列に接続された複数の第１発光素子３１ａは、陽極３５（アノード：第１端子）が第１陽極配線５１ａと接続され、陰極３７（カソード：第２端子）が陰極配線５２と接続され、陽極３５と陰極３７との間に発光機能層３６が設けられている。並列に接続された複数の第２発光素子３１ｂは、陽極３５（アノード）が第２陽極配線５１ｂと接続され、陰極３７（カソード）が陰極配線５２と接続され、陽極３５と陰極３７との間に発光機能層３６が設けられている。
【００５１】
そして、第１発光素子群３１ａ’と第２発光素子群３１ｂ’とは、発光領域５３において交互に配置されている。このように、第１発光素子群３１ａ’と第２発光素子群３１ｂ’とは、２つの陽極配線５１ａ，５１ｂと、１つの陰極配線５２とによって接続されている。つまり、陰極配線５２は、第１発光素子群３１ａ’及び第２発光素子群３１ｂ’と共通に使用される。
【００５２】
次に、図３を参照しながら、有機ＥＬ装置１２の動作について説明する。まず、直流電源５０がオン状態になると、直流電源５０から陽極配線５１に電力（正極の電力）が供給され、そして、第１陽極配線５１ａ及び第２陽極配線５１ｂを介して順方向接続された第１発光素子３１ａ及び第２発光素子３１ｂが発光する。第１発光素子３１ａ及び第２発光素子３１ｂは、発光機能層３６に流れる電流量に応じた輝度で発光する。
【００５３】
図４は、有機ＥＬ装置の構造を示す模式平面図である。図５は、図４に示す有機ＥＬ装置のＢ部を拡大して示す模式拡大図である。図６は、図５に示す有機ＥＬ装置のＣ−Ｃ'線に沿う模式断面図である。なお、図５は、光干渉層、封止構造等の図示は省略する。以下、有機ＥＬ装置の構造を、図４〜図６を参照しながら説明する。
【００５４】
図４に示すように、有機ＥＬ装置１２は、発光素子３１が所定の間隔をもって規則的に配置されている発光領域５３と、発光領域５３の周囲の領域である周辺領域５４とを有している。
【００５５】
発光領域５３は、液晶パネル１１に対してＥＬ光Ｌを照射する領域であり、液晶パネル１１において画像が形成される領域に対応する領域である。発光領域５３内には、帯状の陽極配線５１と、帯状の陰極配線５２とが、略平行に配置されている。
【００５６】
具体的には、共通に使用される陰極配線５２に対して、その両側に第１陽極配線５１ａと第２陽極配線５１ｂとが配置される。陽極配線５１と陰極配線５２との双方は、共に透明導電性材料であるＩＴＯで形成されており、液晶パネル１１において形成される画像の視認性には影響を及ぼさない。
【００５７】
図５及び図６に示すように、発光素子３１は、第１陽極配線５１ａと平面視で重なる領域に発光機能層３６ａが形成された第１発光素子３１ａと、第２陽極配線５１ｂと平面視で重なる領域に発光機能層３６ｂが形成された第２発光素子３１ｂとを有する。
【００５８】
発光素子３１は、第１発光素子３１ａと第２発光素子３１ｂとが対になって、第１陽極配線５１ａ、第２陽極配線５１ｂ、陰極配線５２が延在する第１方向、かつ、第１方向と直交する第２方向に、複数設けられている（図４参照）。言い換えれば、一対の第１発光素子３１ａ及び第２発光素子３１ｂが、発光領域５３内においてマトリクス状に設けられている。
【００５９】
詳述すると、第１発光素子３１ａは、透明基板３２上の第１陽極配線５１ａ上の一部に、平面視で島状（パッド状）の発光機能層３６ａが設けられている。発光機能層３６ａの周囲は、絶縁膜５５が設けられている。一方、第２発光素子３１ｂは、透明基板３２上の第２陽極配線５１ｂ上の一部に、平面視で島状（パッド状）の発光機能層３６ｂが設けられている。発光機能層３６ｂの周囲は、絶縁膜５５が設けられている。
【００６０】
そして、図６に示すように、発光機能層３６ａ上から発光機能層３６ｂ上に亘る領域には、陰極配線５２と電気的に接続されたアルミニウム（Ａｌ）等からなる陰極３７が設けられている。第１陽極配線５１ａ、陰極配線５２、第２陽極配線５１ｂは、絶縁膜５５によって電気的に絶縁されている。このように、１組の第１発光素子３１ａ及び第２発光素子３１ｂは、陰極３７（陰極配線５２）が共通に用いられる。
【００６１】
このような構成において、陽極配線５１（第１陽極配線５１ａ、第２陽極配線５１ｂ）が直流電源５０のプラス極と接続され、陰極配線５２が直流電源５０のマイナス極と接続されているので、直流電源５０がオン状態になると、直流電源５０から陽極配線５１に電力（正極の電力）が供給され、陽極配線５１（第１陽極配線５１ａ、第２陽極配線５１ｂ）側から陰極配線５２側に電流が流れる。そして、順方向接続された第１発光素子３１ａ及び第２発光素子３１ｂが発光する。
【００６２】
上記したように、第１発光素子３１ａ及び第２発光素子３１ｂにおいて、陰極３７から陰極配線５２にコンタクトをとる部分の領域を共通化するので（共通の領域３７ａ）、第１発光素子３１ａと第２発光素子３１ｂとが別々の陰極配線５２を用いる従来の構成と比較して、発光領域５３に占める陰極３７の領域を小さくすることができる。これにより、開口率を向上させることが可能となり、必要な光量にするための電流量を少なくすることができる。よって、発光素子３１が高温になることを抑え、発光素子３１が劣化することを抑えることができる。その結果、有機ＥＬ装置１２（フロントライト）の寿命を延ばすことができる。
【００６３】
なお、図４に示すような有機ＥＬ装置１２において、発光領域５３は矩形であり、発光素子３１は発光領域５３内において規則的に配置されているが、この態様に限定されるものではない。発光領域５３は、円形等（不定形を含む）の形状でもよく、発光素子３１の配置もランダムでも構わない。以下、上記した有機ＥＬ装置１２の製造方法について説明する。
【００６４】
図７〜図１０は、有機ＥＬ装置の製造方法を工程順に示す模式断面図である。詳述すると、有機ＥＬ装置を構成する第１発光素子及び第２発光素子を中心とする製造方法を工程順に示す模式断面図である。以下、有機ＥＬ装置（第１発光素子、第２発光素子）の製造方法を、図７〜図１０を参照しながら説明する。
【００６５】
まず、図７に示すように、透明基板３２上に第１陽極配線５１ａ、陰極配線５２、第２陽極配線５１ｂを形成する。透明基板３２としては、ガラス基板等が挙げられる。なお、第１発光素子３１ａにおいて、第１陽極配線５１ａが陽極３５として用いられる。一方、第２発光素子３１ｂにおいて、第２陽極配線５１ｂが陽極３５として用いられる。
【００６６】
また、陰極配線５２は、陰極３７（図６参照）との接続に用いられる。第１陽極配線５１ａ、第２陽極配線５１ｂ、陰極配線５２は、例えば、ＩＴＯ等の光透過性を有する金属酸化物導電膜からなる。また、第１陽極配線５１ａ、第２陽極配線５１ｂ、陰極配線５２、また以下に述べる各層は、例えば、公知の真空蒸着法を用いて順次形成することができる。
【００６７】
次に、図８に示すように、発光部５６及びコンタクト部５７の領域が開口するように、透明基板３２上及び配線（第１陽極配線５１ａ、第２陽極配線５１ｂ、陰極配線５２）上の一部の領域に絶縁膜５５を形成する。絶縁膜５５は、例えば、アクリル樹脂やポリイミド樹脂などにより形成される。
【００６８】
次に、図９に示すように、発光機能層３６ａ，３６ｂを形成する。詳述すると、第１発光素子３１ａ側の第１陽極配線５１ａ上及び絶縁膜５５上の一部と、第２発光素子３１ｂ側の第２陽極配線５１ｂ上及び絶縁膜５５上の一部に、発光機能層３６ａ，３６ｂを形成する。発光機能層３６ａ，３６ｂは、上記したように、正孔注入層４１、正孔輸送層４２、発光層４３、電子輸送層４４、電子注入層４５が順に積層されている（図９では１層で図示）。
【００６９】
次に、図１０に示すように、陰極３７を形成する。具体的には、発光機能層３６ａ，３６ｂ上、陰極配線５２上、及び絶縁膜５５上に亘って陰極３７を形成する。
【００７０】
このように形成することにより、一対の第１発光素子３１ａ及び第２発光素子３１ｂにおいて、陰極配線５２を共通で用いることができる。また、第１陽極配線５１ａ、第２陽極配線５１ｂ、陰極配線５２、また他の各層がそれぞれ同じ工程で形成できるので、かかる工程を少なくすることが可能となると共に、極性に差のない第１発光素子３１ａ及び第２発光素子３１ｂを形成することができる。
【００７１】
以上詳述したように、第１実施形態によれば、以下に示す効果が得られる。
【００７２】
（１）第１実施形態によれば、第１発光素子３１ａと第２発光素子３１ｂとが共通のコンタクト部５７（図８参照）を介して陰極配線５２に接続されているので、共通で使用できる領域（共通の領域３７ａ）をつくることができる。よって、陰極３７の面積を小さくすることが可能となり、陰極３７の領域以外の反射光Ｒが通過する領域（開口部）の面積を大きくすることができる。これにより、開口率を向上させることが可能となり、必要な光量にするための電流の量を少なくすることができる。その結果、発光素子３１ａ，３１ｂが発熱することを抑え、発光素子３１ａ，３１ｂが劣化することを抑えることができ、寿命を延ばすことができる。
【００７３】
（２）第１実施形態によれば、膜を蒸着法で形成する場合など、蒸着範囲を変えるだけで第１発光素子３１ａ及び第２発光素子３１ｂを形成することが可能となり、同一プロセスで形成することができるので、比較的簡単に製造することができる。
【００７４】
（第２実施形態）
＜照明装置の構成＞
図１１は、第２実施形態の照明装置としての有機ＥＬ装置の電気的な構成を示す等価回路図である。以下、有機ＥＬ装置の構成を、図１１を参照しながら説明する。
【００７５】
第２実施形態の有機ＥＬ装置１１２は、スイッチ６１を用いて第１発光素子群３１ａ’又は第２発光素子群３１ｂ’に電流を流して交互に（又はどちらか一方の発光素子群が寿命に達したら他方の発光素子群に切り替えて）発光させる点が、第１実施形態と異なっている。以下、第１実施形態と同じ構成部材には同一符号を付し、ここではそれらの説明を省略又は簡略化する。
【００７６】
図１１に示すように、第２実施形態の有機ＥＬ装置１１２は、直流電源５０の一方と接続された陽極配線５１と、直流電源５０の他方と接続された陰極配線５２とを有する。陽極配線５１は、第１陽極配線１５１ａと第２陽極配線１５１ｂとに分岐されている。そして、第１陽極配線１５１ａ又は第２陽極配線１５１ｂのどちらかに電流を流すためのスイッチ６１が、陽極配線５１と第１陽極配線１５１ａ及び第２陽極配線１５１ｂとの間に設けられている。
【００７７】
第１陽極配線１５１ａと陰極配線５２との間には、第１実施形態と同様に、並列に接続されると共に順方向電流により発光する複数の第１発光素子３１ａが設けられている。一方、第２陽極配線１５１ｂと陰極配線５２との間には、並列に接続されると共に順方向電流により発光する複数の第２発光素子３１ｂが設けられている。
【００７８】
詳述すると、第２実施形態の有機ＥＬ装置１１２は、直流電源５０がオン状態になると、第１実施形態のように、第１陽極配線５１ａ及び第２陽極配線５１ｂの両方に電流が流れる場合と異なり、第１陽極配線１５１ａ又は第２陽極配線１５１ｂのどちらか一方のみに電流が流れる。よって、第１発光素子群３１ａ’と第２発光素子群３１ｂ’とが、スイッチ６１の切り替えによって、交互に発光する。スイッチ６１の好適例としては、２回路１接点のアナログスイッチを用いることができる。
【００７９】
なお、第１実施形態と同様に、第１発光素子群３１ａ’と第２発光素子群３１ｂ’とは、２つの陽極配線１５１ａ，１５１ｂと、１つの陰極配線５２とによって接続されている。つまり、陰極配線５２は、第１発光素子群３１ａ’と第２発光素子群３１ｂ’とにおいて共通に用いられる。
【００８０】
このように、第１発光素子３１ａの陰極３７と第２発光素子３１ｂの陰極３７とが共通のコンタクト部５７（図８参照）を介して陰極配線５２に接続されているので、共通となる陰極３７の領域（共通の領域３７ａ）をつくることができる。よって、発光領域５３における陰極３７の面積を小さくすることが可能となり、反射光Ｒが通過する面積を大きくすることができる。これにより、開口率を向上させることが可能となり、必要な光量にするための電流量を少なくすることができる。その結果、発光素子３１が高温になることを抑え、発光素子３１が劣化することを抑えることができる。
【００８１】
以上詳述したように、第２実施形態によれば、上記した第１実施形態の（１）、（２）の効果に加えて、以下に示す効果が得られる。
【００８２】
（３）第２実施形態によれば、スイッチ６１を用いて、第１陽極配線１５１ａと接続された第１発光素子３１ａと、第２陽極配線１５１ｂと接続された第２発光素子３１ｂとを、交互に発光させることが可能となるので、例えば、一方の発光素子（例えば、第１発光素子３１ａ）の輝度が下限の閾値の輝度に低下するまで連続して発光させ、その後、他方の発光素子（例えば、第２発光素子３１ｂ）に切り替えて連続して発光させることにより、１つのみの発光素子を連続して発光させる場合と比較して、発光時間を延ばすことができる。その結果、照明装置（有機ＥＬ装置１１２）の寿命を延ばすことができる。加えて、どちらか一方の発光素子に不具合（異常）が生じた場合、他方の発光素子を用いて発光させることができる。
【００８３】
（４）第２実施形態によれば、第１発光素子群３１ａ’と第２発光素子群３１ｂ’とを交互に発光させることが可能となるので、一方の発光素子群が発光している間は、他方の発光素子群が発光しないため他方の発光素子群を冷却させることが可能となる。その結果、発光素子３１ａ，３１ｂが高温になって発光素子３１ａ，３１ｂが劣化することを抑え、１つの発光素子を連続して発光させた場合と比較して、輝度が低下する（表示品質が劣化する）時間を延ばすことが可能となり、寿命を向上させることができる。
【００８４】
（第３実施形態）
＜照明装置の構成＞
図１２は、第３実施形態の照明装置としての有機ＥＬ装置の電気的な構成を示す等価回路図である。以下、有機ＥＬ装置の構成を、図１２を参照しながら説明する。
【００８５】
第３実施形態の有機ＥＬ装置２１２は、第１発光素子３１ａ及び第２発光素子３１ｂの輝度を検出するための検出用発光素子１３１及び検出部（光センサー２１１）を備えている点が、第１実施形態と異なっている。以下、第１実施形態と同じ構成部材には同一符号を付し、ここではそれらの説明を省略又は簡略化する。
【００８６】
図１２に示すように、第３実施形態の有機ＥＬ装置２１２は、第２実施形態と同様に、直流電源５０の一方と接続された陽極配線５１と、直流電源５０の他方と接続された陰極配線５２とを有する。そして、陽極配線５１は、スイッチ６１を介して、第１陽極配線１５１ａと第２陽極配線１５１ｂとに電気的に接続することが可能となっており、流れる電流の方向を切り替えることができる。
【００８７】
このような有機ＥＬ装置２１２において、第３実施形態の特徴部分としては、陽極配線１５１ａ，１５１ｂと陰極配線５２との間に、輝度を検出するために用いる検出用発光素子１３１（１３１ａ，１３１ｂ）が設けられている。具体的には、検出用発光素子１３１は、第１陽極配線１５１ａ側に電流が流れた際に発光する第１検出用発光素子１３１ａと、第２陽極配線１５１ｂ側に電流が流れた際に発光する第２検出用発光素子１３１ｂとを有する。つまり、発光領域５３に設けられた第１発光素子３１ａを発光させた場合に、第１検出用発光素子１３１ａも同時に発光する。一方、発光領域５３内に設けられた第２発光素子３１ｂを発光させた場合に、第２検出用発光素子１３１ｂも同時に発光する。
【００８８】
また、２つの検出用発光素子１３１（１３１ａ，１３１ｂ）に隣接して輝度を検出する検出部としての光センサー２１１が設けられている。光センサー２１１としては、例えば、フォトダイオード、フォトトランジスター、ＣＳＤ等を用いることができる。このように、検出用発光素子１３１を介して輝度を検出することにより、発光領域５３内の第１発光素子３１ａ及び第２発光素子３１ｂの輝度を検出することが可能となっている。そして、光センサー２１１による輝度の検出結果に応じて（例えば、輝度が低下して下限の閾値に達した場合）、スイッチ６１の接続状態を切り替える。
【００８９】
具体的には、まず、陽極配線５１が第１陽極配線１５１ａと電気的に接続された場合の動作について説明する。直流電源５０がオン状態になると、第１陽極配線１５１ａ側に電流が流れ、第１発光素子群３１ａ’が発光すると共に第１検出用発光素子１３１ａが発光する。このとき、光センサー２１１によって第１検出用発光素子１３１ａの輝度を検出する。そして、輝度が下限の閾値に達した場合（所定の輝度まで低下した場合）、例えば、第１発光素子群３１ａ’の発光から第２発光素子群３１ｂ’の発光に切り替える。
【００９０】
次に、陽極配線５１が第２陽極配線１５１ｂと電気的に接続された場合の動作について説明する。直流電源５０がオン状態になると、第２陽極配線１５１ｂ側に電流が流れ、第２発光素子群３１ｂ’が発光すると共に第２検出用発光素子１３１ｂが発光する。このとき、光センサー２１１によって第２検出用発光素子１３１ｂの輝度を検出する。そして、輝度が下限の閾値に達した場合、例えば、新しい有機ＥＬ装置２１２と交換する。
【００９１】
なお、光センサー２１１の検出値に応じて、スイッチ６１の接続状態を切り替える切替機構２１３が設けられていることが好ましい。具体的には、光センサー２１１とスイッチ６１とが、切替機構２１３を介して連動するように設けられている。
【００９２】
より具体的には、まず最初に、第１発光素子群３１ａ’を発光させる。そして、光センサー２１１によって第１検出用発光素子１３１ａの輝度が下限の閾値となる輝度まで低下したと判断した場合、切替機構２１３に信号を送ることによって、スイッチ６１の接続状態が変わり、第１発光素子群３１ａ’の発光から第２発光素子群３１ｂ’の発光に切り替わる。これにより、下限の閾値より輝度が低下することなく、更に、自動で切り替えることができる。
【００９３】
また、検出用発光素子１３１は、有機ＥＬ装置２１２の発光領域５３より外側の周辺領域５４に設けられていることが好ましい。発光領域５３内に光センサー２１１を配置しないので、発光領域５３に必要な輝度を低下させることなく、輝度を検出することができる。また、周辺領域５４に２つの発光素子３１（３１ａ，３１ｂ）に対応する第１検出用発光素子１３１ａ及び第２検出用発光素子１３１ｂが設けられているので、この２つ発光状態を確認することにより、どちらの発光素子３１（３１ａ，３１ｂ）が発光しているか判断することができる。
【００９４】
以上詳述したように、第３実施形態によれば、上記した実施形態の（１）〜（４）の効果に加えて、以下に示す効果が得られる。
【００９５】
（５）第３実施形態によれば、光センサー２１１が備えられているので、第１発光素子３１ａ及び第２発光素子３１ｂの輝度を確認することが可能となる。よって、目視で輝度を判断して発光素子を切り替える方法と比較して、正確に一方の発光素子から他方の発光素子に切り替えることが可能となる。更に、光センサー２１１で輝度を検出しているので、常に輝度の下限の閾値より高い輝度で発光させることができる。
【００９６】
（６）第３実施形態によれば、切替機構２１３が設けられているので、光センサー２１１による検出結果に基づいてスイッチ６１の接続状態を自動で切り替えることができる。これにより、例えば、下限の閾値となる輝度まで一方の発光素子を発光させ、その後、他方の発光素子に自動で切り替えて発光させることができる。
【００９７】
（７）第３実施形態によれば、検出用発光素子１３１ａ，１３１ｂが発光領域５３の周囲である周辺領域５４に設けられているので、発光領域５３において必要な輝度を低下させることなく、発光素子３１ａ，３１ｂの輝度を検出することができる。
【００９８】
（第４実施形態）
＜電子機器の構成＞
図１３は、上記した有機ＥＬ装置を備えた電子機器の一例として携帯電話機を示す模式図である。以下、有機ＥＬ装置を備えた携帯電話機の構成を、図１３を参照しながら説明する。
【００９９】
図１３に示すように、携帯電話機７１は、表示部７２及び操作ボタン７３を有している。表示部７２は、内部に組み込まれた有機ＥＬ装置１２，１１２，２１２によって、発光時間を向上させることができる等、高品位な表示を行うことができる。なお、上記した有機ＥＬ装置１２，１１２，２１２は、上記携帯電話機７１の他、モバイルコンピューター、デジタルカメラ、デジタルビデオカメラ、車載機器、オーディオ機器、露光装置や照明機器など各種電子機器に用いることができる。
【０１００】
以上詳述したように、第４実施形態によれば、以下に示す効果が得られる。
【０１０１】
（８）第４実施形態によれば、発光素子３１ａ，３１ｂが劣化することが抑えられ、高寿命の電子機器を提供することができる。
【０１０２】
なお、実施形態は上記に限定されず、以下のような形態で実施することもできる。
【０１０３】
（変形例１）
上記した第３実施形態のように、光センサー２１１を用いて第１発光素子３１ａ又は第２発光素子３１ｂの輝度を検出することに限定されず、例えば、図１４に示すように、電圧値から輝度を求めるようにしてもよい。図１４は、変形例１の有機ＥＬ装置３１２の構成を電気的に示す等価回路図である。図１５（ａ）は、時間と輝度の関係を示すグラフである。図１５（ｂ）は、時間と電圧の関係を示すグラフである。
【０１０４】
まず、図１５（ａ）に示すように、発光素子３１を一定電流密度で駆動すると、発光素子３１の特性として、時間と共に輝度が低下していく。また、図１５（ｂ）に示すように、輝度が低下していくと、時間と共に電圧が上がっていく。
【０１０５】
このような特性を利用して、図１４に示すように、陽極配線５１（１５１ａ，１５１ｂ）と陰極配線５２との間に配置された検出部としての電圧計３１１が、輝度の下限の閾値となる電圧値を検出したら（閾値となる輝度まで低下したら）、スイッチ６１を切り替えて、例えば、第１発光素子群３１ａ’の発光から第２発光素子群３１ｂ’の発光に変えるようにする。なお、スイッチ６１は、手動で切り替えてもよいし、切替機構２１３（図１２参照）を用いて自動で切り替えるようにしてもよい。これによれば、下限の閾値より輝度が低下することなく、所定の輝度を維持することができる。また、一方の発光素子群のみで発光させる場合と比較して、長い時間に亘って発光させることができる。また、光を直接検出しなくても、駆動電圧で輝度を判定することができる。
【０１０６】
（変形例２）
上記した第２実施形態、第３実施形態、変形例１に記載のように、第１発光素子３１ａの輝度がある下限の閾値に低下するまで連続して発光させ、その後、第２発光素子３１ｂに切り替えて連続して発光させることに代えて、以下のようにしてもよい。例えば、一方の発光素子（例えば、第１発光素子３１ａ）と他方の発光素子（例えば、第２発光素子３１ｂ）との輝度を段階的に落としていくようにしてもよい。具体的には、光センサー２１１又は電圧計３１１を用いて、一方の発光素子の輝度が所定の輝度まで低下したら他方の発光素子の発光に切り替え所定の輝度まで低下させる。その後、一方の発光素子に切り替えて、更に低い輝度まで発光させていく。これを、輝度の下限の閾値になるまで段階的に繰り返す。これによれば、段階的に少しずつ輝度が低下していくので、急激に特性が変化することを抑えることができる。
【０１０７】
（変形例３）
上記したように、第１発光素子３１ａ及び第２発光素子３１ｂが白色を発光することに限定されず、例えば、異なる色の発光層を塗り分けて、第１発光素子３１ａは赤色を発光し、第２発光素子３１ｂは緑色を発光するようにしてもよい。これによれば、流す電流の配線を変えることにより、赤色の照明、又は緑色の照明をつくることができる。また、例えば、赤色の照明、緑色の照明をフィールドシーケンシャル駆動として用いるようにしてもよい。この場合、緑色の照明を加えることが好ましい。
【０１０８】
（変形例４）
上記したように、有機ＥＬ装置１２，１１２，２１２，３１２は、ボトムエミッション型に限定されず、トップエミッション型として適用するようにしてもよい。
【０１０９】
（変形例５）
上記したように、照明装置を液晶表示装置のフロントライトとして用いることに限定されず、例えば、一般的な照明として用いるようにしてもよい。
【符号の説明】
【０１１０】
１０…反射型液晶装置、１１…液晶パネル、１２，１１２，２１２，３１２…照明装置（フロントライト）としての有機ＥＬ装置、１４…観察者、１５…素子基板、１６…対向基板、１７…液晶層、１８…ＴＦＴ、１９…画素電極、２１…第１配向膜、２２…第２配向膜、２３…層間絶縁層、２４…カラーフィルター層、２４ａ…カラーフィルター、２４ｂ…遮光層、２５…対向電極、２６…偏光板、３１…発光素子、３１ａ…第１発光素子、３１ｂ…第２発光素子、３２…透明基板、３３…封止構造、３５…陽極、３６，３６ａ，３６ｂ…発光機能層、３７…陰極、３７ａ…共通の領域、４１…正孔注入層、４２…正孔輸送層、４３…発光層、４４…電子輸送層、４５…電子注入層、４６…透明層、４７…半透過反射層、４８…光干渉層、５０…直流電源、５１…陽極配線、５１ａ，１５１ａ…第１陽極配線、５１ｂ，１５１ｂ…第２陽極配線、５２…陰極配線、５３…発光領域、５４…周辺領域、５５…絶縁膜、５６…発光部、５７…コンタクト部、６１…スイッチ、７１…携帯電話機、７２…表示部、７３…操作ボタン、１３１…検出用発光素子、１３１ａ…第１検出用発光素子、１３１ｂ…第２検出用発光素子、２１１…検出部としての光センサー、２１３…切替機構、３１１…検出部としての電圧計。
【図１】
0005454029.tif 000002
【図２】
0005454029.tif 000003
【図３】
0005454029.tif 000004
【図４】
0005454029.tif 000005
【図５】
0005454029.tif 000006
【図６】
0005454029.tif 000007
【図７】
0005454029.tif 000008
【図８】
0005454029.tif 000009
【図９】
0005454029.tif 000010
【図１０】
0005454029.tif 000011
【図１１】
0005454029.tif 000012
【図１２】
0005454029.tif 000013
【図１３】
0005454029.tif 000014
【図１４】
0005454029.tif 000015
【図１５】
0005454029.tif 000016
【図１６】
0005454029.tif 000017